(57)【要約】      （修正有）【課題】複数組の多面発光ＬＥＤランプを提供する。【解決手段】本灯体１は電源と連結することができる接続装置を有する。接続装置の異なる接続方式により、端面２および側面３の各組のＬＥＤランプ球セットの発光がそれぞれ制御され、異なる発光効率および発光範囲が得られる。端面のランプ球セットが点灯するとき、１８０°の発光範囲を得ることができ、側面のＬＥＤランプ球セットが点灯するとき、３６０°の発光範囲を得ることができる。さらに、本ＬＥＤランプ球セットはすべて直接発光であり、発熱量が低い。したがって、自動車に取り付け、自動車のヘッドライトとして使用するとき、端面のＬＥＤランプ球セットが発光すると、ハイビームランプの効果を示すことができ、側面の端面に近い１組のＬＥＤランプ球セットが発光すると、方向指示ランプの効果を示すことができ、側面の別の１組のＬＥＤランプ球セットが発光すると、ロービームランプの効果を示すことができる。【選択図】図１
0003175600.tif 000002
【実用新案登録請求の範囲】
【請求項１】
灯体（１）を含み、灯体（１）が端面（２）および側面（３）を有し、端面（２）および側面（３）がそれぞれＬＥＤランプ球セットを有し、灯体（１）が電源と連結することができる接続装置を有し、該接続装置がＬＥＤランプ球セットと連結し、該接続装置との異なる接続方式により、各組のＬＥＤランプ球セットの点消灯をそれぞれ制御することができることを特徴とする、複数組の多面発光ＬＥＤランプ。
【請求項２】
前記接続装置が、ＬＥＤランプ球セットと連結する負極接続端（４）と、対応するＬＥＤランプ球セットと連結する正極接続端（５）を含むことを特徴とする、請求項１に記載の複数組の多面発光ＬＥＤランプ。
【請求項３】
前記端面（２）が１組のＬＥＤランプ球セットを有し、前記側面（３）が２組のＬＥＤランプ球セットを有することを特徴とする、請求項２に記載の複数組の多面発光ＬＥＤランプ。
【請求項４】
前記正極接続端（５）が第１接続端（６）、第２接続端（７）および第３接続端（８）を含み、第１接続端（６）、第２接続端（７）および第３接続端（８）が、それぞれ相応するＬＥＤランプ球セットと連結することを特徴とする、請求項３に記載の複数組の多面発光ＬＥＤランプ。
【請求項５】
前記負極接続端（４）がねじ円柱殻であり、前記第１接続端（６）、第２接続端（７）および第３接続端（８）が、半径が異なる３段の円柱殻であり、第１接続端（６）の一端が負極接続端（４）内に貫設され、第２接続端（７）の一端が第１接続端（６）内に貫設され、第３接続端（８）の一端が第２接続端（７）内に貫設され、負極接続端（４）、第１接続端（６）、第２接続端（７）および第３接続端（８）が、絶縁体で仕切られることを特徴とする、請求項４に記載の複数組の多面発光ＬＥＤランプ。
【請求項６】
前記端面（２）および側面（３）に蛍光体材料を塗布することを特徴とする、請求項１に記載の複数組の多面発光ＬＥＤランプ。
【考案の詳細な説明】
【技術分野】
【０００１】
本考案は照明器具、特に複数組の多面発光ＬＥＤランプに関する。
【背景技術】
【０００２】
ＬＥＤランプ製品は、消費エネルギーが低い、環境を汚染しない、発光効率が高いなどの利点を有する。したがって、家庭、デパート、観光地、さらには自動車にまで、照明器具として広く応用されている。しかし、既存のＬＥＤ発光ダイオードには、照明光源として次のような欠点が存在する。フラットパッケージでは、ＬＥＤを点光源とし、レンズなどの方式によってその発光角度を増強しなければならないが、レンズなどの方式によって増強された発光角度は、およそ１６０度しかない。また、その発熱量は大きく、発光量の減衰が容易に引き起こされ、使用寿命に影響を及ぼすことがある。さらに、複数組の多面発光の機能を有さない。
【考案の概要】
【考案が解決しようとする課題】
【０００３】
既存技術の不足を克服するため、本考案は、放熱が良好で、複数組のＬＥＤランプ球セットをそれぞれまたは同時に、多面で発光させることを実現でき、それにより複数種の発光角度を有するＬＥＤランプを提供する。
【課題を解決するための手段】
【０００４】
本考案で、その技術問題を解決するのに採用した技術案は、以下の通りである。
【０００５】
複数組の多面発光ＬＥＤランプの特徴は、次の通りである。灯体を含み、灯体は端面および側面を有し、端面および側面はそれぞれＬＥＤランプ球セットを有する。灯体は電源と連結することができる接続装置を有し、接続装置はＬＥＤランプ球セットと連結する。さらに接続装置との異なる接続方式により、各組のＬＥＤランプ球セットの点消灯をそれぞれ制御することができる。
【０００６】
前述の接続装置は、ＬＥＤランプ球セットと連結する負極接続端と、対応するＬＥＤランプ球セットと連結する正極接続端を含む。
【０００７】
前述の端面は１組のＬＥＤランプ球セットを有し、前述の側面は２組のＬＥＤランプ球セットを有する。
【０００８】
前述の正極接続端は、第１接続端、第２接続端および第３接続端を含み、第１接続端、第２接続端および第３接続端は、それぞれ相応するＬＥＤランプ球セットと連結する。
【０００９】
前述の負極接続端は、ねじ円柱殻である。前述の第１接続端、第２接続端および第３接続端は、半径が異なる３段の円柱殻であり、第１接続端の一端は負極接続端内に貫設され、第２接続端の一端は第１接続端内に貫設され、第３接続端の一端は第２接続端内に貫設される。負極接続端、第１接続端、第２接続端および第３接続端は、絶縁体で仕切られる。
【００１０】
前述の端面および側面に、蛍光体材料を塗布する。
【考案の効果】
【００１１】
本考案の有益な効果として、本考案は、灯体に端面および側面を有し、端面および側面はそれぞれＬＥＤランプ球セットを有する。灯体は、電源と連結することができる接続装置を有する。接続装置は、負極接続端、第１接続端、第２接続端および第３接続端を含み、第１接続端、第２接続端および第３接続端は、それぞれ相応するＬＥＤランプ球セットと連結される。異なる第１接続端、第２接続端および第３接続端と接続することにより、端面および側面の各組のＬＥＤランプ球セットの発光がそれぞれ制御され、異なる発光効率および発光範囲が得られる。
【００１２】
端面のランプ球セットが点灯するとき、１８０°の発光範囲を得ることができ、側面のＬＥＤランプ球セットが点灯するとき、３６０°の発光範囲を得ることができる。さらに、本考案のＬＥＤランプ球セットはすべて直接発光であり、発熱量が低く、使用寿命が長くなる。したがって、本考案を自動車に取り付け、自動車のヘッドライトとして使用するとき、端面のＬＥＤランプ球セットが発光すると、ハイビームランプの効果を示すことができ、側面の端面に近い１組のＬＥＤランプ球セットが発光すると、方向指示ランプの効果を示すことができ、側面の別の１組のＬＥＤランプ球セットが発光すると、ロービームランプの効果を示すことができる。
【図面の簡単な説明】
【００１３】
以下に図および実施例を組み合わせて、本考案についてさらに説明する。
【００１４】
【図１】図１は、本考案の正面図である。
【図２】図２は、本考案の俯瞰図である。
【考案を実施するための形態】
【実施例】
【００１５】
図１、図２を参照されたい。本考案は、複数組の多面発光ＬＥＤランプを開示した。これは灯体１を含み、灯体１は端面２および側面３を有し、端面２および側面３は、それぞれＬＥＤランプ球セットを有する。灯体１は電源と連結することができる接続装置を有し、接続装置はＬＥＤランプ球セットと連結する。接続装置との異なる接続方式により、各組のＬＥＤランプ球セットの点消灯を制御することができる。さらに接続装置は、ＬＥＤランプ球セットと連結する負極接続端４、および対応するＬＥＤランプ球セットと連結する正極接続端５を含む。
【００１６】
図１に示すように、本具体的実施例において、端面２および側面３は円柱体の端面および側面である。端面２は１組のＬＥＤランプ球セットを有し、このＬＥＤランプ球セットは端面２に均等に分布される。側面３は２組のＬＥＤランプ球セットを有し、２組のＬＥＤランプ球セットは、それぞれ側面３の両側に設けられ、側面３に沿って均等に分布される。端面２および側面３には透明ケーシングが設けられ、保護作用を有する。さらに、本考案の各組のＬＥＤランプ球セットは、異なる色のＬＥＤランプ球を採用することができ、異なる発光効率が得られる。正極接続端５は第１接続端６、第２接続端７および第３接続端８を含み、第１接続端６、第２接続端７および第３接続端８は、それぞれ相応するＬＥＤランプ球セットと連結する。負極接続端４はねじ円柱殻であり、ねじ構造により、本考案を電源端と接続するのに便利である。本第１接続端６、第２接続端７および第３接続端８は、半径が異なる３段の円柱殻であり、第１接続端６の一端は負極接続端４内に貫設され、第２接続端７の一端は第１接続端６内に貫設され、第３接続端８の一端は第２接続端７内に貫設される。負極接続端４、第１接続端６、第２接続端７および第３接続端８は絶縁体によって仕切られる。上述の構造は第１接続端６、第２接続端７および第３接続端８と電源端を接続するのに便利である。
【００１７】
本考案を自動車に取り付け、自動車のヘッドライトとして使用するとき、負極接続端４および電源の正極を接続する。第１接続端６および電源の負極が接続するとき、端面２のＬＥＤランプ球セットが発光し、このとき本考案はハイビームランプの効果を示す。第２接続端７および電源の負極が接続するとき、側面３の端面２に近い１組のＬＥＤランプ球セットが発光し、このとき本考案は方向指示ランプの効果を示す。第３接続端８および電源の負極が接続するとき、側面３の別の１組のＬＥＤランプ球セットが発光し、このとき本考案はロービームランプの効果を示す。第１接続端６、第２接続端７および第３接続端８が、同時に電源の負極と接続する場合、３組のＬＥＤランプ球セットすべてが発光する。特に、端面２および側面３に黄色の蛍光体材料を塗布すると、黄色の蛍光体材料によって、本考案は黄色の光を発することができ、光度が増加するだけでなく、黄色の光透過力が強まる。
【図１】
0003175600.tif 000003
【図２】
0003175600.tif 000004